(57)【要約】【課題】簡単な構造の除雪具を提供でき、また、持ち易くて力を有効に活用できること。さらに、硬くて重い雪でも除雪具をスムーズに移動させることができて、除雪作業の効率を向上させること。また、過酷な除雪作業においても破損したり、手で持つ部分にガタツキを発生させないようにすること。【解決手段】断面を円形とした筒体２と、筒体２に対して長手方向に２点止めに固着した略コ字型の取っ手３と、筒体２の下部開口に接続した柔軟性のある袋体５とで除雪具本体１を構成する。袋体５の下部は開口しており、筒体２にて取った屋根の雪を筒体２、袋体５を介して地面に滑落させる。【選択図】図１
2007303137.tif 000002
【特許請求の範囲】
【請求項１】
屋根の上に積もった雪を該屋根の斜面を利用して除雪する除雪具において、
上下面が開口されて該上端の開口部より雪を掻き入れるようにした筒体（２）と、
前記筒体（２）の下面開口部に上部開口部側が固定され、下部開口部より滑落してきた雪を排出する帯状の袋体（５）と、
前記筒体（２）の上部側に突出するように該筒体（２）に固定されている略コ字型の取っ手（３）とで
除雪具本体（１）を構成していることを特徴とする除雪具。
【請求項２】
前記取っ手（３）は、筒体（２）に対して該取っ手（３）の長手方向に沿って２点止めで筒体（２）に固定されていることを特徴とする請求項１に記載の除雪具。
【請求項３】
前記筒体（２）は断面を円形としていることを特徴とする請求項１または請求項２に記載の除雪具。
【請求項４】
前記１請求項１から請求項３のいずれかに記載の除雪具本体（１）を２階に配置し、１階の屋根には前記除雪具本体（１）の袋体（５）から落下する雪を地面まで落下させる板材（３０）を配置し、
２階の屋根の雪は除雪具本体（１）で除雪し、該除雪具本体（１）から１階の屋根の上に配置した前記板材（３０）の上に落下させ、該板材（３０）にて雪を滑落させて、地面に板材（３０）を介して雪を落下させるようにしていることを特徴とする除雪方法。
【発明の詳細な説明】
【技術分野】
【０００１】
本発明は、屋根に上がって積もった雪を除雪するための除雪具及びこれを用いた除雪方法に関するものである。
【背景技術】
【０００２】
北陸地方や新潟地方などの豪雪地帯では冬場に、屋根に積もった雪を下ろす雪下ろし作業が頻繁に行なわれている。屋根に積もった雪を早めに取り除かないと雪の重さで家屋が倒壊したり、また、大きな雪の塊が自然に落下して人に危害を加える可能性がある。そこで、出来るだけ早めに除雪作業をする必要がある。
【０００３】
この雪下ろし作業を行なう場合には、周知のように屋根に上ってスコップやスノーダンプ等で軒先付近から行なう。屋根の上での除雪作業は、スコップにて雪に差し込んでからスコップを持ち上げ、雪の塊を地面に向けて放り投げる。この作業を延々と繰り返すのである。特に、屋根の中央部分ではスコップですくった雪を軒先付近まで降りて行って下に雪を投げるものであり、傾斜していて、且つ滑り易い屋根の上では危険を伴う作業である。そして、この除雪作業は雪は硬くて重いので大変な重労働である。
【０００４】
そこで、屋根の上での危険で且つ重労働の除雪作業を少しでも危険性や重労働からの開放をするための除雪具が提案されている。例えば、下記に示す特許文献１である。
【０００５】
【特許文献１】特開平７−４１６０号公報
【０００６】
この特許文献１に記載されている除雪具は、中空竿の上部に四角筒を設け、この四角筒の下部に底無し袋を取り付けたものであり、連続的な押し・引きのみの簡単な操作で雪下ろしを行なうものである。
しかしながら、この特許文献１に記載の除雪具は、中空竿が底無し袋側に取り付けてあることから、屋根には上らずに地面から軒先に向けて雪下ろしを行なうものであり、そのため、屋根に積もっている雪を全部除雪することができないという問題を有している。また、屋根の下から雪下ろしを行なうので、袋を介して滑落してくる雪が作業者に当たる危険があるという問題も有している。
【０００７】
なお、この特許文献１の欠点として、雪の切断が悪く四角筒が必ずしも真っ直ぐに移動しないで斜め方向に位置ズレを起こし、中空竿に力を加え位置を修正したりする必要から手が疲れ易いということから、特許文献１の発明者は、新たに特許文献２を提案している。
【特許文献２】特開２０００−７３５０９号公報
【０００８】
この特許文献２に記載の除雪具は、両側を開口した直方体状の筒体と、この筒体の下部側に取り付けたフレキシブルな雪滑走筒帯と、筒体に着脱自在に取り付けた支持棒とで構成されている。前記支持棒は筒体に対して上方向、下方向と自在に取り付けが可能であり、そのため、屋根の下方からや屋根に上っての除雪作業を可能としている。
【０００９】
しかしながら、この特許文献２に記載の除雪具では以下に示すように多くの問題点を有している。すなわち、四角筒状の筒体の雪を取り入れる雪取入れ口の下端には半円形状に切除された切断部を形成し、また、雪取入れ口の上端には半円形状の張り出し部を形成していることで、筒体の加工が複雑となり、コストアップになる。
また、筒体の雪取入れ口の下端に切断部を形成していることで、雪取入れ口を大きくすることができるとしているが、除雪する雪は軽いふわふわとした雪ではなく、ほぼ氷塊に近い雪であり、そのため、大きな四角形状の雪取入れ口では、雪掻きをする際には非常に大きな力が必要となり、スムーズに雪掻きができないと同時に、非常に疲れ易くなる。また、大きな氷塊では簡単に雪掻きができないという問題がある。
【００１０】
さらに、大きな雪取入れ口でもって大きく雪掻きをするという発想は、効率良く除雪作業が出来そうではあるが、実際には上述したように、大きな氷塊では思った以上の力が必要となり、除雪具を動かして除雪しようとしても除雪具をスムーズに移動させることができず、結局少しだけの量の除雪作業となってしまうことになる。
また、除雪具の手で持つところの支持棒は、円筒状あるいは円柱状であって、該支持棒を両手で持って除雪具を移動させようとしても、雪つまり氷塊が大きく重いために大きな力を必要とすることで、実際には手が滑ったりして思うように除雪具を動かすことが出来ないという問題を有している。
【００１１】
さらには、支持棒は、筒体の表面に略Ω状の支持部材や貫通ボルトにて固定する構造としているため、大きな力で支持棒を持って除雪具を左右上下に動かしていると、支持棒の支持部が破損したり、支持棒が曲がったりするという問題がある。
特に、手で持つところの支持棒が除雪具を移動させる方向と同一方向に取り付けられているため、大きな力を必要とする除雪作業では、力を有効に活用できず、硬くて重い雪に対しては除雪具をスムーズに移動させることができず、除雪作業の効率が非常に悪いという問題があった。
【発明の開示】
【発明が解決しようとする課題】
【００１２】
本発明は上述の問題点に鑑みて提供したものであって、少なくとも以下の目的を持った除雪具及びこれを用いた除雪方法を提供するものである。
（１）簡単な構造の除雪具を提供すること。
（２）持ち易くて力を有効に活用できること。
（３）硬くて重い雪でも除雪具をスムーズに移動させることができて、除雪作業の効率を向上させること。
（４）過酷な除雪作業においても破損したり、手で持つ部分にガタツキを発生させないようにすること。
（５）２階の屋根の雪も地面までスムーズに除雪できるようにすること。
【課題を解決するための手段】
【００１３】
そこで、本発明の請求項１に記載の除雪具では、屋根の上に積もった雪を該屋根の斜面を利用して除雪する除雪具において、
上下面が開口されて該上端の開口部より雪を掻き入れるようにした筒体２と、前記筒体２の下面開口部に上部開口部側が固定され、下部開口部より滑落してきた雪を排出する帯状の袋体５と、前記筒体２の上部側に突出するように該筒体２に固定されている略コ字型の取っ手３とで除雪具本体１を構成していることを特徴としている。
【００１４】
請求項２に記載の除雪具では、前記取っ手３は、筒体２に対して該取っ手３の長手方向に沿って２点止めで筒体２に固定されていることを特徴としている。
【００１５】
請求項３に記載の除雪具では、前記筒体２は断面を円形としていることを特徴としている。
【００１６】
請求項４に記載の除雪方法では、前記１請求項１から請求項３のいずれかに記載の除雪具本体１を２階に配置し、１階の屋根には前記除雪具本体１の袋体５から落下する雪を地面まで落下させる板材３０を配置し、
２階の屋根の雪は除雪具本体１で除雪し、該除雪具本体１から１階の屋根の上に配置した前記板材３０の上に落下させ、該板材３０にて雪を滑落させて、地面に板材３０を介して雪を落下させるようにしていることを特徴としている。
【発明の効果】
【００１７】
本発明の請求項１に記載の除雪具によれば、上下面が開口されて該上端の開口部より雪を掻き入れるようにした筒体２と、前記筒体２の下面開口部に上部開口部側が固定され、下部開口部より滑落してきた雪を排出する帯状の袋体５と、前記筒体２の上部側に突出するように該筒体２に固定されている略コ字型の取っ手３とで除雪具本体１を構成しているので、筒体２にて屋根の雪に当てて掻く場合に雪が硬くて重い場合でも、取っ手３がコ字型となっていることから、持ち易くて力を有効に活用できて、除雪具本体１を上方へ引き上げるのに従来の棒状のものと比べて確実に引き上げることができ、効率良く除雪作業を行なうことができる。また、除雪具本体１を筒体２と袋体５とコ字型の取っ手３にて構成しているので、除雪具本体１を簡単な構成にでき、コストも安価にすることができる。
【００１８】
請求項２に記載の除雪具によれば、前記取っ手３は、筒体２に対して該取っ手３の長手方向に対して２点止めで筒体２に固定されているので、取っ手３が筒体２に対してがたついたり、ぐらついたりすることはなく、筒体２に取っ手３が確実に固定され、過酷な除雪作業において取っ手３が破損したりすることもない。
【００１９】
請求項３に記載の除雪具によれば、前記筒体２は断面を円形としているので、筒体２の下部における雪と接触する部分の面積は小さく、且つ筒体２の縁部が曲成していて雪を掻き易くし、スムーズに除雪作業を行なうことができる。
【００２０】
請求項４に記載の除雪方法によれば、前記１請求項１から請求項３のいずれかに記載の除雪具本体１を２階に配置し、１階の屋根には前記除雪具本体１の袋体５から落下する雪を地面まで落下させる板材３０を配置し、２階の屋根の雪は除雪具本体１で除雪し、該除雪具本体１から１階の屋根の上に配置した前記板材３０の上に落下させ、該板材３０にて雪を滑落させて、地面に板材３０を介して雪を落下させるようにしているので、２階の屋根の雪は１階の屋根の上に堆積することなく板材３０を介してスムーズに地面まで落下させることができ、また、板材３０により１階の屋根の瓦を破損させることもない。また、２階の屋根の雪を一旦１階の屋根の上に落として、該１階の屋根の雪をスコップ、あるいは本発明の除雪具本体１を用いて再び除雪作業を行なう場合と比べて、２階の屋根の雪を効率良く地面まで滑落させることができ、除雪作業を大幅に向上させることができる。
【発明を実施するための最良の形態】
【００２１】
以下、本発明の実施の形態を図面を参照して詳細に説明する。図１は本発明にかかる除雪具本体１の斜視図を示しており、図２は除雪具本体１の平面図を、図３は除雪具本体１の正面図を、図４は除雪具本体１の側面図をそれぞれ示している。
【００２２】
この除雪具本体１は、上下面を開口した円筒状の筒体２と、この筒体２に固着されている略コ字型で該筒体２よりは２〜３倍ほどの長さ寸法を有する取っ手３と、筒体２の側面に固着されている略コ字型で小さな補助取っ手４と、筒体２の下面開口部に固着されている袋体５とで構成されている。
【００２３】
断面を円形とした筒体２は、その材料としては、金属製、硬質のプラスティックが用いられるが、特に、強度、軽量性の観点からはアルミニウムにて筒体２を形成するのが好適例である。
また、帯状の袋体５は上端及び下端は開口しており、材料も柔軟性があり軽量で、しかも雪の滑落を容易にするべく表面は平滑性のある塩化ビニールやポリエステルなどの合成繊維のものを使用している。図１に示すように、袋体５の上端を筒体２の下部の外周面に挿入した状態で複数の留め具１０にて袋体５を筒体２に固着している。
【００２４】
なお、図１では理解し易いように袋体５を膨らませた状態で描いているが、実際には偏平な状態となっている。袋体５の下端の開口部より除雪した雪が滑落ないし落下するようになっており、袋体５の長さとしては３メートル〜５メートルとしている。また、冬場以外の使用しない状態では、袋体５を折り畳んで筒体２内に収納するようになっている。
【００２５】
次に、取っ手３及び該取っ手３の筒体２への取り付け構造について説明する。取っ手３は図１及び図４に示すように、筒体２に対して斜めに取り付けられるようにしており、筒体２の上部開口部を雪を取り入れる雪取入れ口１１とし、この雪取入れ口１１の開口方向に取っ手３が設けられている。
取っ手３の材料として鉄、アルミニウムを用いており、パイプ状の部材を溶接にてつなぎ合わせて略コ字型に形成している。
【００２６】
図５に示すように、筒体２の両側にはボルト１３を挿通するための穴１２が穿孔されており、この穴１２に金属製でパイプ状の接続部材１４を通したボルト１３を筒体２の外側から挿入し、ボルト１３のネジ部にナット１５を筒体２の内部から螺着する。次に、取っ手３の両側の腕部１６の下端と接続部材１４の上面とを溶接にて固着する。図６のＡ部分が溶接部分を示している。
【００２７】
ところで、取っ手３の下端のみで筒体２側に固着した場合には、ボルト１３を軸として回動する恐れがある。特に、過酷な除雪作業においては、取っ手３を持って作業を行なうので、取っ手３が筒体２に対してがたついたり、ぐらついたりすることになり、取っ手３がぐらついたりすると除雪作業に支障を来すことになる。
そこで、本発明では、取っ手３をさらに固定する部材を設けている。すなわち、図１〜図４及び図６に示すように、筒体２の上部の両側に穴２０を穿設し、この穴２０に金属製で円柱状の固定棒２１を挿通し、両側の穴２０より突出している固定棒２１の先端部分２１ａと取っ手３の腕部１６の下部とを溶接にて固着するようにしている。これにより、取っ手３を筒体２に対してがたついたり、ぐらついたりしないように確実に固定している。
【００２８】
このようにして略コ字型の取っ手３が筒体２に固着されており、除雪具本体１による除雪作業では筒体２の軸方向に沿って取っ手３を持って筒体２を移動させるものであり、この場合、筒体２の移動方向に対して取っ手３の把持部１７が直交する方向となっているので、手で持つ力を有効に活用することができる。
特に、取っ手３を筒体２に対して該取っ手３の長手方向に沿ってボルト１３の接続部材１４との溶接と、固定棒２１との溶接の２点止めをしているので、取っ手３が筒体２に対してがたついたり、ぐらついたりすることはなく、筒体２に取っ手３が確実に固定され、過酷な除雪作業において取っ手３が破損したりすることもない。
なお、図２及び図３に示すように、筒体２の側面には略コ字型の補助取っ手４がボルト２２にて固定されている。
【００２９】
次に、本発明の除雪具本体１を用いての除雪作業について説明する。図７は家屋が１階の場合を示しており、作業者が除雪具本体１を持って屋根に上り、取っ手３を作業者の手前に向けて除雪具本体１を屋根の軒先側の雪の上に置き、除雪具本体１の袋体５を屋根から地面に向けて垂らす。
この状態では除雪具本体１の取っ手３の把持部１７が丁度作業者の手で持ち易い位置になり、作業者が把持部１７を片手、あるいは両手で持ち、筒体２の雪取入れ口１１の縁部にて雪を掻くようにして当てていき、取り除かれた雪は筒体２の雪取入れ口１１内に入っていく。筒体２内に入った雪は、屋根の斜面の下方への傾きを利用して屋根の上に位置している袋体５内を滑落していき、さらに軒先より下方に垂れている袋体５内を滑落していき、袋体５の下端の開口部より地面に落下する。
【００３０】
作業者は除雪具本体１にて順次屋根の上方へと移動しながら筒体２にて雪を取っていき、筒体２にて取った雪は袋体５内を滑落して地面に落下する。
ここで、筒体２の断面は円形となっており、実際に雪を掻く部分は筒体２の上端の一部の曲成した部分であり、そのため、雪を掻き易く、雪をスムーズに取り除くことができる。筒体２の雪取入れ口１１が従来のように四角形状の場合には、雪取入れ口１１の下部における雪に接触する面積が大きくなり、雪の塊も大きくなって除雪具本体１を上方へ引き上げる力が大きくなり、実際にはスムーズに除雪具本体１を引き上げることができない。
【００３１】
しかしながら本発明では、除雪具本体１の筒体２を円形としていることで、雪取入れ口１１の下部における雪と接触する部分の面積は小さく、且つ筒体２の得部が曲成していて雪を掻き易く、また、同時に取っ手３の把持部１７は除雪具本体１を引き上げる方向とは直交する方向としていることで、ある程度の大きさの雪の塊であっても、除雪具本体１を引き上げる力を有効に除雪具本体１に伝えることができ、必要以上の力を出すことなく除雪作業をスムーズに行なうことができる。また、除雪具本体１を筒体２と袋体５とコ字型の取っ手３にて構成しているので、除雪具本体１を簡単な構成にでき、コストも安価にすることができる。
【００３２】
また、比較的大きな雪の塊であっても、取っ手３の把持部１７は除雪具本体１を引き上げる方向とは直交する方向としていることで、除雪具本体１を引き上げ易く、引き上げ力に応じた大きさの雪の塊を取り除くことができる。
なお、状況に応じて適宜、作業者が一方の手で除雪具本体１の補助取っ手４を持ち、他方の手で取っ手３を持ちながら除雪作業を行なうことができる。
【００３３】
図８及び図９は、２階の屋根の除雪作業の場合を示しており、２階の屋根から直接１階の屋根に雪を落とすと瓦を破損したり、あるいは１階の屋根に雪が堆積して地面までスムーズに滑落させることができないので、この実施形態では、１階の屋根の上に滑落補助用の板材３０を配置するようにしたものである。
【００３４】
すなわち、２階の屋根に除雪具本体１を配置して作業者が上述したように除雪作業を行なうが、除雪具本体１の袋体５の下方の１階の屋根の上に別の作業者が袋体５の下方に位置するように板材３０を配置する。
２階の屋根での除雪具本体１による除雪作業により、袋体５からの雪は１階の屋根の板材３０の上に落下し、この落下した雪は板材３０上を滑落して地面に落下していく。
【００３５】
これにより、２階の屋根の雪は１階の屋根の上に堆積することなく板材３０を介してスムーズに地面まで落下させることができ、また、板材３０により１階の屋根の瓦を破損させることもない。また、２階の屋根の雪を一旦１階の屋根の上に落として、該１階の屋根の雪をスコップ、あるいは本発明の除雪具本体１を用いて再び除雪作業を行なう場合と比べて、２階の屋根の雪を効率良く地面まで滑落させることができ、除雪作業を大幅に向上させることができる。
【００３６】
なお、上記板材３０の材料としては、トタンなどの金属板や、プラスティック板を用いている。また、板材３０を屋根の上に配置するので、板材３０にヒモ、ロープなどを接続しておき、これを１階の屋根にいる作業者が持つことができるようにすることで、板材３０が屋根から自然に落下するのを防ぐことができる。
【図面の簡単な説明】
【００３７】
【図１】本発明の実施の形態における除雪具本体の全体の斜視図である。
【図２】本発明の実施の形態における除雪具本体の平面図である。
【図３】本発明の実施の形態における袋体を除いた除雪具本体の正面図である。
【図４】本発明の実施の形態における袋体を除いた除雪具本体の側面図である。
【図５】本発明の実施の形態における筒体に取っ手を取り付ける場合の分解断面図である。
【図６】本発明の実施の形態における筒体と取っ手との固定構造を示す要部拡大断面図である。
【図７】本発明の実施の形態における１階の屋根の除雪作業の説明図である。
【図８】本発明の実施の形態における板材を用いて２階の屋根の除雪作業の説明図である。
【図９】本発明の実施の形態における板材を用いて２階の屋根の除雪作業の説明図である。
【符号の説明】
【００３８】
１  除雪具本体
２  筒体
３  取っ手
４  補助取っ手
５  袋体
３０  板材
【図１】
2007303137.tif 000003
【図２】
2007303137.tif 000004
【図３】
2007303137.tif 000005
【図４】
2007303137.tif 000006
【図５】
2007303137.tif 000007
【図６】
2007303137.tif 000008
【図７】
2007303137.tif 000009
【図８】
2007303137.tif 000010
【図９】
2007303137.tif 000011